(57)【要約】      （修正有）【課題】従来のミラースタンドは、長時間の作業に於いては手が疲れたり、人の手を借りなければならなかったりと煩わしさが多かった。【解決手段】本発明品は、床上タイプ（床に接する部分にタイヤ５及びタイヤ止めを付け、簡単に移動可能なキャスタータイプやタイヤを付けず固定タイプのものも有）のアームスタンドの上部にブック式や長方形・丸型ミラー１（鏡）がセットにされたものであり、スタンド部の角度・高さ調節３，４も可能で、また設置されているミラー（鏡）１の上下左右の角度を幅広く調節できるため（リモコン操作も可）、従来品とは違い両手を全くふさいでしまうことなく（両手が使用可能な状態で）、立ったままで・座った状態でと様々な場所で映す人の後頭部・後ろ姿を映すことができるミラー（鏡）の役割を果たす。【選択図】図１
2008142506.tif 000002
【特許請求の範囲】
【請求項１】
床上アームスタンドと、その先端（上部）にブック式（左右の中央部分が折れ曲がるもの）・長方形・正方形・丸い型（以上全て）ミラー（鏡）（ミラー保護用縁・裏面付）を取付け、スタンド部分は、高さ・角度（＝幅、奥行、高さ）調節をおこなえる調節バーの接合部で繋がれた複数の直線棒または一本の自由自在に曲げることが可能な管で構成されており、そのスタンドの幅、奥行、高さをかえることで、背の高低に関係なく上部に取付けられたミラー（鏡）を使って（実際にはもう１枚映す人物の正面にミラーを置いて）、自由自在に誰でも１人で自分の手を使わず後ろ姿や後頭部を映すことができ、また立ったままの状態、椅子や床に座った状態でも後ろ姿や後頭部を映すことができる床上アームミラースタンド。
【請求項２】
請求項１のミラー（鏡）の両サイドや上下や端、周囲にライト照明を取付け、電源コード有のコンセント充電式（電池充電式も有）で、床上アームスタンドとミラー（鏡）及びライト照明を一体化した、床上アームミラースタンド。
【請求項３】
請求項１、請求項２には、リモコン（電池）操作機能を取付けたものも有り、リモコン操作によりミラー（鏡）の左右上下の向きの角度調節やライト照明の点灯・消灯、又床上アームスタンド自体の高さ・角度（＝幅、奥行、高さ）調節もおこなうことができるものとする。（リモコン操作なしでも、手動でミラー（鏡）のあらゆる角度調節、又ライト照明の点灯・消灯、又床上アームスタンドの高さ・角度（＝幅、奥行、高さ）調節も全て可。）
【請求項４】
請求項１、請求項２、請求項３の床面に接するスタンドの下部には、ローラー（タイヤ）及びタイヤ止めを付け、簡単に移動可能なようにしたキャスタータイプのものが有る。（タイヤを付けず、固定式（床据え置きタイプ）のものも有。）
【発明の詳細な説明】
【技術分野】
【０００１】  本発明は、人の後頭部、又は後ろ姿を映すための補助的役割を果たす床上アームミラースタンドに関する。
【背景技術】
【０００２】  従来の床上姿見（鏡）は、固定式の姿見（図５）で、鏡の可能調整角度は狭く、また本体の重量・ベース径が大きく移動しづらく、角度を容易にかえられない。
【発明の開示】
【発明が解決しようとする課題】
【０００３】  従来、まず後頭部・後ろ姿を映したい人物自身の正面（前側）に１つミラー（鏡）を置き、次に２つ目のミラー（鏡）を同人物の背後（又は、斜め後ろ）に置き、２つ目のミラー（鏡）に映る内容（＝後頭部・後ろ姿）を、うまく角度調節を行い１つ目のミラー（鏡）の中に映させる方法を利用し、それを見ます。その際、１つ目のミラー（鏡）は固定式タイプ・手鏡など種類は豊富ですが、２つ目（映したい人物の背後（斜め後ろ）に設置する）ミラー（鏡）は角度が重要なのですが、自由自在に角度調節できるミラー（鏡）がないため、映す人物自身が片手を使い手鏡などを持ったまま（又は他の人に２つ目のミラー（鏡）を角度調節をしてもらいながら持ってもらい）、後頭部・後ろ姿を映していました。【０００４】  本発明品は、（０００３）の際の１枚のミラー（鏡）役割を果たすものであり、以上に述べた従来の固定式の姿見（図５）や手鏡では簡単にできなかった人の後頭部・後ろ姿を立った状態・座った状態でと様々な場所・状態で、人の片手又は両手を使わず、簡単に映すことを目的とするものである。
【課題を解決するための手段】
【０００５】  本発明品の特長は、（０００３）、（０００４）の場面に於いての、２つ目のミラー（鏡）についての発明品であり、これを利用することによって映す人物自身の片手又は両手を使わずに、又は他の人の補助を受けることなく、１人で自分の後頭部・後ろ姿を映すことができる床上アームミラースタンドである。【０００６】  本発明品のアームスタンド部分は、高さ・角度（＝幅、奥行、高さ）調節を行なえるよう複数のアームで形成されているタイプではスタンドの接合部分に調節バーを取付けるためそれを調節し、また１本の曲げられることが可能なアームタイプではそれを自由自在に曲げて、立ったままの状態（例：洗面台利用）で、または椅子や床に座った状態で、と様々な状態で人の後ろ姿・後頭部を映す際に応じてアーム部分の高さ・角度調節ができ、また先端（上部）に広く角度調節可能なブック式（左右の中央部分が折れ曲がる）・長方形・正方形・丸い（以上全て）ミラー（鏡）を付属しているため、リモコン操作（左右上下にミラー角度を調節可、ライト点灯・消灯可）により（またはリモコンなしで手で角度調節を行い）、１人で自分の後頭部・後ろ姿を映すことができる。【０００７】  また、本発明品には、ミラー（鏡）の両サイドや上下や端、周囲にライトを設置しているため、暗い場所で使用する際にも、明るく映し出すことが可能である。【０００８】  また、本発明品の床接触面には、キャスタータイプ（ローラー（タイヤ）及びタイヤ止めをつけるタイプ）があり、そのタイプでは持ち上げることなく床に接触したままの状態で自由に本発明品を移動することが可能である。また、床接触面にローラー（タイヤ）をつけない固定式（据え置き）タイプもあり、その場合は一定場所に固定して使用するものを主とし、移動する場合は持ち上げて移動させることとする。
【発明の効果】
【０００９】  人の後ろ姿や後頭部を映す際に、まず後頭部・後ろ姿を映したい人物自身の正面（前側）に１つミラー（鏡）を置き、次に２つ目のミラー（鏡）を同人物の背後（又は、斜め後ろ）に置き、２つ日のミラー（鏡）に映る内容（＝後頭部・後ろ姿）を、うまく角度調節を行い１つ目のミラー（鏡）の中に映させる方法を利用しそれを見るが、本発明品はそのうちの１枚のミラー（鏡）についての発明品であり、本品はスタンドになっており、それ自身だけで単独で床上に立つことが可能で、またスタンド及びミラー（鏡）を様々な角度に固定させることが可能なため、後ろ姿や後頭部を見たい人が、自分の好きな場所で、好きな角度でスタンド及びミラー（鏡）を固定させ、後頭部や後ろ姿を見ながら、従来のように片手にミラー（鏡）を持たずに、作業をすることができる。
【発明を実施するための最良の形態】
【００１０】  ミラー（鏡）の前に人が立った（座った）際、その人物の顔（正面）を映しますが、本発明品をプラスで使い、本発明品を同じ人の後ろ（斜め後ろ）に置き、アームスタンド及びミラー（鏡）の高さ・角度調節を行なって、同人物の後ろ姿・後頭部を映す。
【実施例】
【００１１】  洗面台（立った状態）や机上（椅子や床に座った状態）で、自分の正面にミラー（鏡）を置いた状態でお化粧や髪の毛のお手入れをする際、本発明品を自分の後ろ（斜め後ろ）側に持ってきて、床上アームスタンドの高さ・角度を調節し、スタンドの先に設置されたミラー（鏡）の角度を調節して同人物の後頭部・後ろ姿を映すようにし、それを正面にあるミラー（鏡）の中に映させる。自分の後頭部・後ろ姿をうまく映し出すことができれば、本発明品はそれ自身だけで立ったままの状態を維持できるスタンドであるため、長時間にわたり両手がフリーな状態で髪の毛のお手入れが可能。また、ライトの点灯が可能なため、暗い場所でも明るく映すことが可能。【００１２】  美容室などで、髪の毛のカット・パーマを行なう際、施術を受けている人は、正面のミラー（鏡）で自分の正面の顔や、首を動かせば左右の顔の側面は見ることはできるが、本発明品を施術を受ける人物の斜め後ろに置けば、さらに同人物の後頭部・後ろ姿を映すことができ、作業の進み具合を見ることができる。
【産業上の利用可能性】
【図面の簡単な説明】
【００１３】
【図１】本発明品の実施使用した際の使用時の全体図（１）
【図２】本発明品を折りたたんだ際（不使用時）の全体図（１）
【図３】本発明品の実施使用した際の使用時の全体図（２）
【図４】本発明品を折りたたんだ際（不使用時）の全体図（２）
【図５】従来のミラースタンド（姿見）の全体図
【符号の説明】
【００１４】  １  ミラー（鏡）（図：ブック式）
２  アームスタンド部
３  アームスタンドの高さ・角度（＝幅、奥行、高さ）を調節できる接合部
４  ミラー（鏡）の角度調節を可能にするアームスタンドとミラー（鏡）の接合部
５  アームスタンド下部〔キャスタータイプ〕（ローラー（タイヤ）及びタイヤ止め）
６  ミラー（鏡）（図：丸い型）
７  アームスタンド下部（固定式〔据え置きタイプ〕）
８  ライト照明
【図１】
2008142506.tif 000003
【図２】
2008142506.tif 000004
【図３】
2008142506.tif 000005
【図４】
2008142506.tif 000006
【図５】
2008142506.tif 000007